(57)【要約】      （修正有）【課題】簡易に設置でき、強風が吹付けても、長方形状のネット扉がらふら付いたり、開放したりしない、カバーネットロール付き折り畳み可能な塵箱を提供する。【解決手段】両端部に配置した垂直状左右支柱１１の背面側に長方形状固定ネット枠１７を設け、垂直状左右支柱１１の対向面側に、長方形状左右側ネット扉２０と左右前ネット扉２１とを順次屈折可能にヒンジ付けして折り畳み、展開可能にし、垂直状左右支柱１１の頂部に長方形状塵収容領域の開口を開閉する、長方形状カバーネット１４を巻付け、巻戻すカバーネットロール軸１４Ａを装脱可能に設け、側板１３から外したカバーネットロール１４を、垂直状左右支柱１１の対向面外側のＬ状振れ止めフック７１Ａに載置して、垂直状左右支柱１１の対向面間に折畳んだ、長方形状左右側、左右前ネット扉２０、２１のふれ、開放を抑制する。【選択図】図１０
2006188307.tif 000002
【特許請求の範囲】
【請求項１】
道路脇、公園、広場等の塵収容用適所に、適宜間隔を存して配設する適宜高さの垂直状左右支柱の背面側に、当該垂直状左右支柱と略等高で、それらを連結する略長方形状固定ネット枠を設け、前記垂直状左右支柱の対向面に、当該垂直状左右支柱と略等高で、当該対向面間隔の略半分長の長方形状左右側ネット扉と、該長方形状左右側ネット扉と略同形同大の長方形状左右前ネット扉を、前記垂直状左右支柱の対向面前側への長方形状塵収容領域展開と、該対向面間への折畳みを可能に順次ヒンジ付けすると共に、前記垂直状左右支柱の対向面外側から上方へ伸びる左右側板に、前記長方形状塵収容領域の頂部開口よりやや広い長方形状カバーネットの基部を取付けたカバーネットロール軸を装脱可能に軸架し、かつ、前記垂直状左右支柱の対向面外側に、当該垂直状左右支柱の前側へ突出する振止フックを設け、該振止フックへの前記カバーネットロール軸の載置により、当該カバーネットロール軸に巻付けた前記長方形状カバーネット周りと、前記垂直状左右支柱の対向面間に折畳んだ長方形状左右前ネット扉面とを当接可能にして、当該長方形状左右前ネット扉と長方形状左右側ネット扉の振れ、開放を抑制させる様にしたことを特徴とするカバーネットロール付折畳み可能な塵箱。
【請求項２】
前記振止フックのカバーネットロール軸載置面に続く当接面と、当該載置面に載置したカバーネットロール軸に巻付けた長方形状カバーネット周りとの当接により、前記垂直状左右支柱の対向面間に折畳んだ長方形状左右側ネット扉及び長方形状左右前ネット扉の振れ、開放を規制させる様にしたことを特徴とする請求項１記載のカバーネットロール付折畳み可能な塵箱。
【請求項３】
前記振止フックのカバーネットロール軸載置面を、当該載置面へ載置したカバーネットロール軸の自重により、当該カバーネットロール軸に巻付けた長方形状カバーネット周りを介して、前記垂直状左右支柱の対向面間に折畳んだ長方形状左右側ネット扉及び長方形状左右前ネット扉を、前記長方形状固定ネット枠に押圧させる傾斜棒状に構成したことを特徴とする請求項１記載のカバーネットロール付折畳み可能な塵箱。
【請求項４】
前記振止フックのカバーネットロール軸載置面の上下を反転して、前記垂直状左右支柱の対向面外側に取付け可能にしたことを特徴とする請求項１から３の何れかに記載のカバーネットロール付折畳み可能な塵箱。
【請求項５】
端部に垂直状起立部を備える振止フックの基部を、前記垂直状左右支柱の対向面外側に軸着するとともに、該振止フックのカバーネットロール軸載置面を、前記垂直状左右支柱の対向面外側で、当該垂直状左右支柱の対向面間に折畳んだ長方形状前ネット扉前側に、前記カバーネットロールを確保する振止フック受を、前記垂直状左右支柱の前側から、前記対向面外側へ突出する様に設けたことを特徴とする請求項１又は４記載のカバーネットロール付折畳み可能な塵箱。
【請求項６】
前記Ｌ状振止フック起立部のカバーネットロール軸当接面を、前記カバーネットロール軸載置面側の下部からその上部に向って、僅かに後退するように構成したこと特徴とする請求項１から３の何れかに記載のカバーネットロール付折畳み可能な塵箱。
【発明の詳細な説明】
【発明の詳細な説明】
【技術分野】
【０００１】  この発明はカバーネットロール付折り畳み可能な塵箱、殊に、街角、公園等の塵集積に適する箇所に設置でき、当該塵箱の非使用時には、長方形状左右側ネット扉と長方形状左右前ネット扉を垂直状左右支柱の対向面間にコンパクトに折り畳める外、仮に、係る垂直状左右支柱の対向面間に折り畳んだ長方形状左右側ネット扉及び長方形状左右前ネット扉に、その長方形状固定ネット枠側から強風が吹付けても、当該折畳み状態の長方形状左右側ネット扉、長方形状左右前ネット扉の振れ、開放等の発生を抑制するカバーネットロール付折り畳み可能な塵箱に関するものである。
【背景技術】
【０００２】  従来の折り畳み可能な塵箱としては、例えば、特許文献１（特開２００４−７５３８２号公報：特許第３５４６３９０号）がある。【０００３】
【特許文献１】  特開２００４−７５３８２号公報記載のカバーネットロール付折り畳み可能な塵箱は、その特許出願前国内において頒布された刊行物、例えば、実開２０００−２２６１０１号公報、実開平５−４２２０１号公報、特開２０００−７１０１号公報（特許文献２〜４）に記載される、組付けにより使用可能で、非使用時には折畳み可能な従前の塵箱に、なお、残る、構増が複雑で、その操作が面倒という課題を解決するために、本件発明者が先に提案したものであって、道路脇、公園、広場等の適所に適宜間隔を存して配設する、適宜高さの垂直状左右支柱背面側に、長方形状固定ネット付枠を設け、前記垂直状左右支柱の対向面に、当該垂直状左右支柱と略等高で、それらの対向面間隔の、略半分長の長方形状左右側ネット扉と、略同形同大の左右前ネット扉を順次屈折可能にヒンジ付けして、長方形状左右側ネット扉と長方形状左右前ネット扉を、当該垂直状左右支柱の対向面前側に展開して長方形状の塵収容領域を確保する一方、該長方形状左右側ネット扉と長方形状左右前ネット扉を、垂直状左右支柱の対向面間に折畳み可能に構成するとともに、前記長方形状塵収容領域の頂部を開閉する長方形状カバーネットを備えるカバーネットロール軸を、垂直状左右支柱の対向面外側上方へ伸びる左右側板に軸架し、該カバーネットロール軸の正転により長方形状カバーネットを繰出して長方形状塵収容領域の頂部開口を閉塞し、カバーネットロール軸の反転によりカバーネットを同ロール軸に巻付けて、長方形状塵収容領域の頂部を開放した後、長方形状左右側ネット扉と長方形状左右前ネット扉を回動させ、垂直状左右支柱の前側を開放して、塵を収集車等により収集する。然る後、長方形状左右側ネット扉と長方形状左右前ネット扉を垂直状左右支柱の対向面間に折り畳んで収納し、次回の塵収容等の使用に備えるカバーネットロール付折畳み可能な塵箱である。
【従来技術における解決課題】
【０００４】  前記特許文献１記載のカバーネットロール付折り畳み可能な塵箱は、その出願前に頒布された前記特許文献２〜４記載のものの様な、組付けにより塵箱として使用可能で、非使用時には折畳み可能な塵箱ではあるが、その構造が複雑で、操作が面倒という課題を解消できる外、当該塵箱の非使用時に、垂直状左右支柱の対向面間に長方形状左右側ネット扉及び長方形状左右前ネット扉を折畳んで収容し、その前側に垂下する長方形状カバーネットの前垂れ部を、垂れネット固定バンドにより弾圧保持してそのふら付きを防止できるものの、このものにあっては、垂直状左右支柱の対向面間へ折畳んだ、略長方形状左右側ネット扉及び長方形状左右前ネット扉をゴムバンドにより直接、又は、垂直状左右支柱の対向面頂部から上方へ伸びる、外側板に支承したカバーネットロール軸から垂下する長方形状カバーネットの前垂れ部まわりを、前記垂れネットネット固定バンドにより弾圧、保持した状態において、仮に、垂直状左右支柱背面側の長方形状固定ネット枠側から強風が吹付けると、長方形状左右側ネット扉及び長方形状左右前ネット扉が、前記垂れネット固定バンドに抗して振動を発生し、当該振動に伴う振動音が発生する嫌いがあり、甚だしい場合には当該垂れネット固定バンドが破損して、前記略長方形状左右側ネット扉及び長方形状左右前ネット扉をふらつかせたり、その開放を招く恐れがあった。
【０００５】  この発明は、このような従来例に、なお残る課題に着目してなされたもので、前記特許文献１記載のカバーネットロール付折り畳み可能な塵箱の機能を維持しつつ、その垂直状左右支柱の対向面外側に、当該垂直状左右支柱の前側へ突出する振れ止めフック設け、該振れ止めフックの載置面に、前記垂直状左右支柱対向面の外側上部の側板に回転可能に設けたカバーネットロール軸を、当該左右側板から外して載置することにより、当該カバーネットロール軸に巻き付けた長方形状カバーネット周りと、前記垂直状左右支柱の対向面にヒンジ付けした、略長方形状左右側ネット扉及び長方形状左右前ネット扉の外（前）側との当接により、当該略長方形状左右側ネット扉及び長方形状左右前ネット扉のふれ又は開放を抑制ないし阻止するものを提供する。
【課題の解決手段】
【０００６】  この発明は、前記のような課題を解決するため、道路脇、公園、広場等の塵収容用適所に、適宜間隔を存して配設する適宜高さの垂直状左右支柱の背面側に、当該垂直状左右支柱と略等高で、それらを連結する略長方形状固定ネット枠を設け、前記垂直状左右支柱の対向面に、当該垂直状左右支柱と略等高で、当該対向面間隔の略半分長の長方形状左右側ネット扉と、該長方形状左右側ネット扉と略同形同大の長方形状左右前ネット扉を、前記垂直状左右支柱の対向面前側への長方形状塵収容領域展開と、該対向面間への折畳みを可能に順次ヒンジ付けするとともに、前記垂直状左右支柱の対向面外側から上方へ伸びる左右側板に、前記長方形状塵収容領域の頂部開口よりやや広い長方形状カバーネットの基部を取付けたカバーネットロール軸を装脱可能に軸架し、かつ、前記垂直状左右支柱の対向面外側に、当該垂直状左右支柱の前側へ突出する振止フックを設け、該振止フックへの前記カバーネットロール軸を載置することにより、当該カバーネットロール軸に巻付けた前記長方形状カバーネット周りと、前記垂直状左右支柱の対向面間に折畳んだ長方形状左右前ネット扉の前面との当接により、当該長方形状左右前ネット扉と長方形状左右側ネット扉の振れ、開放を抑制させる様にしたカバーネットロール付折畳み可能な塵箱である。
【０００７】  また、前記振止フックのカバーネットロール軸載置面に続く当接面と、当該載置面に載置したカバーネットロール軸に巻付けた長方形状カバーネット周りとの当接により、前記垂直状左右支柱の対向面間に折畳んだ長方形状左右側ネット扉及び長方形状左右前ネット扉の振れ、開放を規制させる様にしたものであり、また、前記振止フックのカバーネットロール軸載置面を、当該載置面へ載置したカバーネットロール軸の自重により、当該カバーネットロール軸に巻付けた長方形状カバーネット周りを介して、前記垂直状左右支柱の対向面間に折畳んだ長方形状左右側ネット扉及び長方形状左右前ネット扉を、前記長方形状固定ネット枠に押圧させる傾斜棒状に構成したものである。
【０００８】さらに、前記振止フックのカバーネットロール軸載置面の上下を反転して、前記垂直状左右支柱の対向面外側に取付け可能にしたものであり、また、端部に垂直状起立部を備える振止フックの基部を、前記垂直状左右支柱の対向面外側の背面寄りに軸着するととに、該振止フックのカバーネットロール軸載置面を、前記垂直状左右支柱の対向面外側中央部に確保する振止フック受を、前記垂直状左右支柱の前側から、前記対向面外側へ突出する様に設けたものである。
【０００９】また、前記Ｌ状振止フック起立部のカバーネットロール軸当接面を、前記カバーネットロール軸載置面側の下部からその上部へに向って、僅かに後退するように構成したものである。
【発明の作用】
【００１０】  請求項１の発明によれば、道路脇、公園、広場等の塵収容用適所に配設したカバーネットロール付折り畳み可能な塵箱の、垂直状左右支柱の対向面外側に、当該垂直状左右支柱の前側へ突出するように設けた振止フックへのカバーネットロール軸の載置により、当該カバーネットロール軸に巻付けた長方形状カバーネット周りと、垂直状左右支柱の対向面間に折畳んだ長方形状左右前ネット扉の前面との当接により、当該長方形状左右前ネット扉と長方形状左右側ネット扉の振れ、開放が抑制され、仮に、前記長方形状固定ネット枠側から、強風が吹き付けても、長方形状左右側ネット扉及び長方形状左右前ネット扉の振れ、その振動に基く振動音の発生や、当該長方形状左右側ネット扉及び長方形状左右前ネット扉の開放を抑制する。
【００１１】  請求項２の発明によれば、前記振止めフックのカバーネットロール軸載置面に続く起立する当接面により、当該載置面に載置したカバーネットロール軸に巻付けた長方形状カバーネット周りを介して、前記垂直状左右支柱の対向面間に折畳んだ長方形状左右側ネット扉及び長方形状左右前ネット扉の振れや開放が抑制され、仮に、長方形状固定ネット枠の背面側から、強風が吹きつけても、当該カバーネットロール軸が不用意に後退せず、前記垂直状左右支柱の対向面間に折畳んだ長方形状左右側ネット扉及び長方形状左右前ネット扉の振れや開放が抑制される。
【００１２】  請求項３の発明によれば、前記振止めフックのカバーネットロール軸載置面の傾斜に沿って、当該載置面へ載置したカバーネットロール軸の自重により、当該カバーネットロール軸に巻付けた長方形状カバーネット周りを介して、前記垂直状左右支柱の対向面間に折畳んだ長方形状左右側ネット扉及び長方形状左右前ネット扉を、前記長方形状固定ネット枠側に積極的に押圧し、仮に、前記長方形状固定ネット枠側から強風が吹きつけても、その振れや開放が抑制される。
【００１３】  請求項４の発明によれば、非使用状態の振止フックの、カバーネットロール軸載置面の上下を反転して、前記垂直状左右支柱の対向面外側に取付けることにより、仮に、振止フックのカバーネットロール軸載置面の先端部が尖鋭に構成された場合にも、このカバーネットロール付折畳み可能な塵箱の、振止フックの尖鋭な先端部に、例えば、子供等が不用意に当接して、けがなどの発生を招く恐れがない。
【００１４】請求項５の発明によれば、垂下する振止フックを取付軸周りに回動させて振止フック受に当接させて、通常の振止フックとして作用させる外、非使用の振止フックをその軸着部周りに廻して、その垂直状起立部を垂直状左右支柱の対向面外側に沿うように垂下することにより、当該垂直状左右支柱周り外側へ殆ど突出せず、仮に、当該振れ止フックの垂直状起立部の先端が、尖鋭状に構成されても、危険発生を招区恐れがない。
【００１５】請求項６の発明によれば、Ｌ状振止フック起立部の、カバーネットロール軸との当接面を、その基部から端部に向って僅かに後退させる様に構成したことにより、この塵箱の長期間使用等により、仮に、当該兆歩形状カバーネットの減耗等により、当該カバーネットロール軸に巻付けたカバーネットの巻径（肉厚）が多少小さくなっても、当該カバーネットロール軸が降下することにより、その巻回カバーネットロール周りが長方形状左右前ネット扉前面への、良好な当接状態を維持できる。
【実施の形態】
【００１６】  以下、本発明に係るカバーネットロール付折畳み可能な塵箱の実施態様、及びその変形例を添付の図１〜２３を参照して説明する。なお、図１、３、５、６においては、折畳み可能な塵箱自体の構造説明を優先差せるため、Ｌ状擬止フック７０まわりの図示を省略した。また、各図を通して、共通する部分には、同一名称、同一符号を用いる。
【実施態様１】
【００１７】  この発明に係るカバーネットロール付折畳み可能な塵箱の第１実施態様を、図１〜１２を参照して説明する。図１は、垂直状左右支柱１１、１１の対向面に、長方形状側ネット扉２０及び長方形状前ネット扉２１を順次ヒンジ２２及び２３付けし、垂直状左右支柱１１、１１の対向面間に折畳み可能で、それらの対向面間の前側に展開して、後述の長方形状固定ネット付枠１７との協同により、長方形状麈収容領域１０Ａを確保可能で、前記長方形状塵収容領域１０Ａの頂部（開口）を長方形状カバーネット１６によりカバーした状態の模式斜視説明図、図２は長方形状カバーネット１６を、駆動手段としてのハンドル１５によりカバーネットロール軸１４Ａに巻き付けて、長方形状塵収容領域１０Ａの頂部（開口）の一部又は全部を開放し、塵を投入可能にした状態の模式斜視説明図、図３は図２の長方形状左右前ネット扉２１を、長方形状左右側ネット扉２０端縁部のヒンジ（２３：図６）回りの外側へ回動して、その前側を開放した状態の模式斜視説明図、図４は長方形状左右側ネット扉２０、２０を、垂直状左右支柱１１、１１の対向面間に折畳むとともに、その外側に長方形状前ネット扉２１を折畳み、長方形状左右側ネット扉２０と長方形状左右前ネット扉２１を、垂直状左右支柱１１、１１の対向面間に折畳み収容した状態の模式斜視説明図、図５は図４の垂直状左右支柱１１、１１の対向面間に折畳んだ長方形状左右側ネット扉２０及び長方形状左右前ネット扉２１の前側に、長形状カバーネット１６を巻き戻してその端部を垂下させ、その前側を被覆した状態の模式斜視説明図、図６は垂直状左支柱１１の対向（内側）面にヒンジ２２付けした長方形状左側ネット扉２０と、その端部にヒンジ２３付けした、長方形状左前ネット扉２１の組付け（展開）により構成される、平面視長方形状塵収容領域１０Ａの要部の拡大模式平面説明図で、長方形状左前ネット扉２１を長方形状左側ネット扉２０の外側へ折返し可能にヒンジ２３付した構成を、同図に略示した。
【００１８】図７はカバーネットロール１４の模式正面説明図で、同図では垂直状左右支柱１１、１１、側板１３、１３、カバーネットロール軸１４Ａ、同軸１４Ａの小径部１４Ｂ、カラー１４Ｄ、ハンドル１５等との関係構造を同時に略示した。図８は長方形状カバーネット１６の模式平面図、図９はハンドル１５によりカバーネットロール軸１４Ａを反転して、巻付けたカバーネット１６の前垂れ部１８を、垂直状左右支柱１１、１１の対向面間に折畳み、収容した長方形状左右側ネット扉２０、長方形状左右前ネット扉２１の前側に垂下させ、それらの前側をカバーすると共に、その前垂れ部１８の前側に、端部を垂直状左右支柱１１上の止め具３１に引掛けた垂れネット固定バンド３２を掛けて、振止めしたものの模式斜視説明図で、垂直状左右支柱１１、１１の対向面間に折畳み収容した長方形状左右側ネット扉２０、長方形状左右前ネット扉２１が、垂れネット固定バンド３２の弾力により、長方形状カバーネット１６の前垂れ部１８を介して、長方形状固定ネット枠１７側に相応に弾圧される。図１０は垂直状左右支柱１１、１１の対向面間に折畳んだ長方形状左右側ネット扉２０、長方形状左右前ネット扉２１（図４状態）の前側領域（当該長方形状左右前ネット扉２１に当接可能な範囲）に位置するように、長方形状カバーネット１６を巻付けたカバーネットロール１４軸１４Ａの、前記長方形状カバーネット１６の巻きつけない左右両端部（仮に、当該カバーネットロール軸１４Ａの端部に小径部１４Ｂがあれば、同小径部１４Ｂ）を、垂直状左右支柱１１、１１の対向面外側に、当該垂直状左右支柱１１、１１の前側に突出する様に設けたＬ状振止めフック７１Ａ、７１Ａの載置面７３（図１１、１２参照）に載置し、長方形状左右側ネット扉２０、長方形状左右前ネット扉２１の、前記長方形状固定ネット枠１７側から強風が吹付けて、当該長方形状左右側ネット扉２０、長方形状左右前ネット扉２１が振れ、その振動に基く振動音が発生したり、それらの開放を抑制したもの（この図では、同時に、固定バンド３２をその前側に付けた）の正面説明図、図１１はそのＬ状振止めフック７１取付部周りの垂直状右支柱の拡大右側面説明図で、基部を垂直状左右（図１２は垂直状右）支柱１１の対向面外側に揺動可能に軸７７Ａ着したＬ状振止フック７１Ａ周りの拡大右側面図で、図１２はその対向（内側）面側からの側面説明図で、図１１、１２では、Ｌ状振止フック７１Ａをその振止フック受７５により略水平状に支承した状態の側面説明図である。
【００１９】図１〜１２において、水平状基板１２、１２から略垂直状に起立する適宜高さ（例えば、９０〜１００センチ）の１対の垂直状左右支柱１１、１１が、適宜間隔を存して、例えば、道路脇、公園、広場等の、所要の広さの塵収容領域を備える適所に配設される。１３、１３は適宜間隔を存して配設した垂直状左右支柱１１、１１頂部の、対向面外側からその上方へ突出する左右側板、１４は左右側板１３、１３に回動可能で、しかも装脱可能に設けたカバーネットロール、１４Ａはカバーネットロール軸（太径部）、１４Ｂはカバーネットロール軸１４Ａ端部の小径部（又は先細部）（ただし、この小径部１４Ｂは省略でき、その場合には、当該カバーネットロール軸１４Ａをそのまま左右に延長する）、１５はカバーネットロール軸１４Ａの駆動用ハンドルで、ハンドル１５により基部（例えば、カバーネット１６本体を折返した基部側）をカバーネットロール軸１４Ａに固定したカバーネット１６を、カバーネットロール軸１４Ａに巻付け、巻戻す。
【００２０】１７は垂直状左右支柱１１を連結、固定する固定ネット枠で、固定ネット枠１７の左右両端部を垂直状左右支柱１１、１１の背面（図８では上）側に固定する。２０は垂直状左右支柱１１と略等高で、適宜巾（具体的には、前記垂直状左右支柱１１、１１の間隔の略半分長）を有する長方形状左右側ネット扉で、この長方形状左右側ネット扉２０は、前記垂直状左右支柱１１、１１対向面の、上下方向の中央部に、図６のように屈折可能にヒンジ２２付けする。長方形状左右側ネット扉２０は、垂直状左右支柱１１、１１の対向面から、垂直状左右支柱１１の手前（図６）側に、直角（垂直状支柱１１、１１対向面と平行）状をなす様に、屈折可能に突出する。
【００２１】長方形状左右側ネット扉２０を、垂直状左右支柱１１、１１の対向面に対して略直交、即ち、当該垂直状支柱１１、１１の前側（図１、２）に突出する位置と、垂直状左右支柱１１、１１の対向面間で、その対向方向に、図４状態を介して図５状態の様に折畳み可能で、また、その逆方向に屈折して展開可能に取付ける。なお、ここでは図示しないが、この垂直状左右支柱１１、１１の中空下部に、例えば、後述の図２１に略示するように、水平状基板１２から起立する先細起立部１２Ａを挿入し、両者の下部を揺動可能に軸１２Ｂ着して、適度に揺動さえた後、その上部を垂直状左右支柱１１下部の弧状溝１１Ａを介して、両者の下部を取付軸１２Ｂ周りに揺動させた後、固定ボルト１２Ｃで固定することにより、当該垂直状左右支柱１１に対する水平状基盤１２の角度を適度に代えて、載置面Ｇの傾斜に対処可能に構成できる。
【００２２】（第１実施態様の作用）  このカバーネットロール付折り畳み可能な塵箱１０は、水平状基板１２、１２に垂直状に取付けた垂直状左右支柱１１、１１を道路脇、公園、広場等の塵収容領域確保可能な適所の水平状地面Ｇ上に配設し、垂直状左右支柱１１、１１を図４のように略垂直状に起立させて組付けた後、止具２７を係止ピン２８から外し、長方形状左右前ネット扉２１、２１を、図３のようにヒンジ２２、２２周りに回動してその前方へ引出し、長方形状左右側ネット扉２０、２０が垂直状左右支柱１１、１１を含む平面に対して、直角状をなすようにその前側（図３）に展開させた後、長方形状左右前ネット扉２１、２１を、長方形状固定ネット枠１７に対して直角状をなし、長方形状左右側ネット扉２０、２０に対して直角状をなし、前記長方形状固定ネット付枠１７と平行する面内において屈折（ヒンジ２３により）する。図６、２（ただし、図２は斜視図）のように、平面視長方形状の塵収収容領域１０Ａを構成し（ただし、図６はその一部の模式平面図）、一方の長方形状左右前ネット扉２１のコ状係止具２４を、その上枠に沿って移動させ、他方の長方形状左右前ネット扉２１の上枠と、同時に係合する長方形状左右前ネット扉２１、２１を一体状に連結し、図２のように長方形状塵収容領域１０Ａを確保する。
【００２３】その後、ハンドル１５により、基端部を取付けた長方形状カバーネット１６を巻付けたカバーネットロール軸１４Ａ（なお、このカバーネットロール軸１４Ａの、左右両端部には小径部１４Ｂ又は先細部が構成される）を回転して、長方形状カバーネット１６を巻戻し、長方形状左右側ネット扉２０、２０と、長方形状左右前ネット扉２１、２１及び長方形状固定ネット枠１７等により、平面視長方形状塵収容領域１０Ａの頂部開口をカバーする。長方形状カバーネット１６の巾が、略平行する長方形状左右側ネット扉２０、２０巾の合計値よりやや広く（例えば、垂直状左右支柱１１、１１の対向方向：図１ではその左右方向の巾程度）、当方形状塵収容領域１０Ａの頂部開口をカバーする長方形状カバーネット１６の周縁部（前垂れ部１８、側垂れ部１９）が、図１のように垂下し、当該長方形状塵収容領域１０Ａの上部開口をカバーする。
【００２４】必要に応じて、この長方形状カバーネット１６の一部又は全部を、前記塵収容領域１０Ａの頂部開口上縁から引き上げて同頂部開口を開放した後、この塵箱１０の長方形形状塵収容領域１０Ａの頂部開口から塵を投入、収容し、長方形状カバーネット１６により当該塵収容領域１０Ａ頂部開口の被覆状態を確保する。なお、非使用の長方形状カバーネット１６の不用意な巻戻し（例えば、悪戯等に基づく）や、横風等による開放を防止するため、カバーネットロール１４のロック装置（例えば、ハンドル１５のロック装置等）を設けることができる。
【００２５】  塵収容領域１０Ａ内に投入された塵を、例えば、まず、ハンドル１５によりカバーネットロール軸１４Ａを回転して、長方形状カバーネット１６をカバーネットロール軸１４Ａ周りに、その一部又は全部を巻取り、長方形状塵収容領域１０Ａの頂部開口を開放した後、又は長方形状カバーネット１６の一部又は全部の巻取りに基づく頂部開口の開放に併せて、前記コ（チャンネル）状係止具２４を長方形状左右前ネット扉２１、２１の何れか一方へ移動させて両者の係合状態を解除し、長方形状左右前ネット扉２１、２１を、図３のように長方形状左右側ネット扉２０、２０の外側に沿う様に開放し（なお、図示しないが、長方形状左右前ネット扉２１、２１を、長方形状左右側ネット扉２０、２０端部の左右両外側に、直交状に開放させることも可）、長方形状塵収容領域１０Ａ内の塵を塵収集車等により収集し、適所へ搬出する。
【００２６】然る後、長方形状左前ネット扉２１（長方形状右前ネット扉２１も同様：ただし、回転方向は逆）を、長方形状左側ネット扉２０（長方形状右側ネット扉２０も同様：ただし、回転方向は逆）端部のヒンジ２３周りの時計方向に回動して、その外側に図３の様に折畳んだ後、長方形状左側ネット扉２０と長方形状左前ネット扉２１を、ヒンジ２１周りの反時計方向（図６）に回動させて、図４のように垂直状左右支柱１１、１１の対向面間に、長方形状右側ネット扉２０と長方形状右前ネット扉２１を折畳み、収容する。この際、長方形状左右側ネット扉２０、２０の端部が、長方形状固定ネット付枠１７の中央部内側のマグネット２６により吸引、固定され、また、垂直状左右支柱１１、１１前面の係止具２７を、長方形状左右前ネット扉２１、２１上の係止ピン２８に係止させて、その折畳み、収容状態を確保する。
【００２７】  ２０Ａ及び２１Ａは長方形状左右側ネット扉２０及び長方形状左右前ネット扉２１の下部に設けた可撓性スカートで、可撓性スカート２０Ａ及び２１Ａは、長方形状左右側ネット扉２０及び長方形状左右前ネット扉２１周り下枠に、当該下枠より下方へ適度に伸びるように設ける外、例えば、前記長方形状左右側ネット扉２０及び長方形状左右前ネット扉２１のネットを、それぞれの下枠を越えて下方へ適度に伸ばす様に構成できる。
【００２８】  可撓性スカート２０Ａ、２１Ａを、長方形状左右側ネット扉２０及び長方形状左右前ネット扉２１の下枠から適度に下方へ突設させれば、カバーネットロール付折畳み可能な塵箱設置領域の地面Ｇに多少の凹凸、殊に、凸部があっても、当該長方形状左右側ネット扉２０及び長方形状左右前ネット扉２１を開閉する際、当該可撓性スカート２０Ａ、２１Ａの凸部との当接による変形で吸収し、スムーズに開閉し、格納、開放を容易にする。
【００２９】  可撓性スカート２０Ａ、２１Ａは、例えば、長方形状左右側ネット扉２０と長方形状左右前ネット扉２１のネットを構成する、可撓性プラスチックネットを下方へ延長すると共に、その下部を上方へ折返し溶着して適度な長さとすることにより、その下部に当該可撓性スカートを構成できる。可撓性スカート２０Ａ、２１Ａを、可撓性プラスチック（この例では、可撓性プラスチックネット、又はその折返し部）で構成すれば、必要に応じて、当該可撓性スカート２０Ａ、２１Ａ、殊に、その下縁を、当該カバーネットロール付折り畳み可能な塵箱設置部周りの地面Ｇの形状に即するように、剪み、カッターナイフ等により、例えば、傾斜状、波状等、適宜形状に当該折畳み可能な塵箱の設置現場において、簡易に修正できる。
【００３０】（長方形状カバーネット）  長方形状カバーネット１６は、図８の模式平面説明図に略示するように、その前縁垂れ部（先端部）１８、及び左右両側垂れ部１９、１９の、例えば、約３〜６ｃｍ程度を、当該長方形状カバーネット１６本体より、前垂れ部１８については、例えば、当該カバーネット１６の、その部分の横糸太さを、他の部分の横糸の太さより太く（例えば、２倍に）し、また、この長方形状カバーネット１６の左右両側垂れ部１９、１９については、同部の縦糸の太さを他の部分の縦糸の太さより太く（例えば、２倍）することにより、当該前垂れ部１８、側垂れ部１９の厚さ及び強度を、カバーネット１６の本体部分より厚く、重く、強く構成できる。
【００３１】  係る構成により、長方形状カバーネット１６の前垂れ部（先端部）１８及び左右両側垂れ部（側縁部）１９、１９が、他の部分よりやや重く、強靭になり、長方形状カバーネット１６全体の高強度を確保する。長方形状カバーネット１６の前垂れ部１８、左右両側垂れ部１９、１９を他の部分よりやや重く、強く構成し、このカバーネット１６を、塵収容領域１０Ａの頂部開口縁上に掛ける際、その前垂れ部１８及び左右両側垂れ部１９、１９が、当該頂部開口縁周り外側に自然に垂れ下がり、当該長方形状カバーネット１６による前記塵収容領域１０Ａの頂部開口の被覆を、多少の風圧や引張力（当該塵収容領域１０Ａの開口頂部を超えて、多少上方へ突出る様に投入された塵の頂部への当接により発生する引張り力を含む）が掛かるか否かにかかわらず、容易、かつ確実な被覆状態を確保する。
【００３３】  なお、長方形状カバーネット１６前垂れ部１８の、横糸（長方形状カバーネット１６が網の場合）の間隔を狭く（例えば、半分に：即ち、単位長さ当たりの横糸の本数を２倍に）したり、その左右両側垂れ部１９、１９の縦糸の間隔を狭く（例えば、約半分に）すれば、当該長方形状カバーネット１６の前垂れ部１８及び左右両側垂れ部１９、１９の強度及び重量を増加させることができる。また、図示しないが、この長方形状カバーネット１６をプラスチック製とし、その前垂れ部１８及び左右両側垂れ部１９、１９を折返して二重にすると共に溶着することにより、前記と略同様な効果を期待できる。
【００３４】  図９はハンドル１５によるカバーネットロール軸１４Ａの回動により、長方形状カバーネット１６を垂直状左右支柱１１、１１の対向面間に折り畳んだ長方形状左右側ネット扉２０、２０及び長方形状左右前ネット扉２１、２１の前側（図９）に垂下させた後、その垂下した前垂れ部１８近傍の前側に、端部を垂直状左右支柱１１、１１の対向面外側（図９では左右両側）面に設けた固定バンド止具３１に係止させた、長方形状カバーネット１６の垂れネット固定バンド３２を掛けて弾圧し、そのふれを防止したもので、必要に応じて垂れネット固定バンド３２の一端部を止具３１から外し、同端部側を垂直状左右支柱１１、１１の何れか一方（図９では左支柱１１）の外側に設けた固定バンド掛３５に掛け、必要に応じて、前記バンド止具３１との双方へ掛廻して、非使用の固定バンド３２を整理し、固定バンド３２なしと同様な状態での操作を可能にする。なお、この作用自体は、前記特開２００４−７５３８２公報記載のカバーネットロール付折畳み可能な塵箱と略同様である。
【００３５】（カバーネットロールによる長方形状左右側及び前ネット扉の振止）  次に、このカバーネットロール付折り畳み可能な塵箱の、垂直状左右支柱１１、１１の対向面間に、図４の様に折畳んだ長方形状左右側ネット扉２０及び長方形状左右前ネット扉２１の前側（この例では、垂直状左右支柱１１、１１の上下方向の中央部よりやや上部）に、前記側板１３、１３に支承したカバーネットロール軸１４Ａを同側板１３、１３から外して、当該カバーネットロール軸１４Ａ（、又はその端部の小径部１４Ｂ）を載せる。この状態において、カバーネットロール軸１４Ａに渦巻状に巻付けた巻回カバーネット１６Ｃ（図１１）が、垂直状左右支柱１１、１１の対向面間に、図４の様に折畳まれた長方形状左右側ネット扉２０及び長方形状左右前ネット扉２１の前側と、Ｌ状振止めフック７１の垂直状起立部７２の起立する当接面（図１１では右側面）との間に位置し、係る垂直状左右支柱１１、１１の背面側に長方形状固定ネット枠１７が固定されることにより、垂直状左右支柱１１、１１の対向面間に折畳まれた長方形状左右側ネット扉２０及び長方形状左右前ネット扉２１の、当該垂直状左右支柱１１、１１の背面側への移動（後退）が阻止される一方、この状態におけるその前側への移動が、Ｌ状振止めフック７１Ａの起立部７２の当接（図１１では右側）面７３Ｂｆにより阻止され、即ち、カバーネットロール軸１４Ａに巻かれた巻回カバーネット１６Ｃの後退が、Ｌ状振止フック７１起立部７２の当接（図１１では右側）面７３Ｂｆにより阻止され、ひいては、当該垂直状左右支柱１１、１１の対向面間に折畳まれた長方形状左右側ネット扉２０及び長方形状左右前ネット扉２１の、当該垂直状左右支柱１１、１１前側（図１０）への開放が阻止され、即ち、長方形状左右側ネット扉２０、長方形状左右前ネット扉２１が垂直状左右支柱１１、１１の対向面間に拘束される。
【００３６】このＬ状振止フック７１Ａは、その基端部を垂直状左右支柱１１、１１対向面外側の、やや背面（図１２では右側）寄りに取付軸７７Ａで回動可能に軸着し、垂直状左右支柱１１の前側から、その対向面外（図１２では手前、図１３では右）側に伸び、当該Ｌ状フック７１Ａを略水平状に支承する振止フック受７５を設けた状態において、Ｌ状振止フック７１Ａ起立部７２Ａの当接面７３Ｂｆに、カバーネットロール軸１４Ａの左側面（図１１）が当接する。当接面７３Ｂｆの頂部と垂直状左右支柱１１の前面との間隔Ｓ２は、その基部と垂直状左右支柱１１の前面との間隔Ｓ１よりやや広くなる様に、当該垂直状左右支柱１１の前面に対して角δ後退する。この振止フック７１Ａをその非使用状態において、図１２に破線７１ＡＡで略示する様に、垂直状左右支柱１１の対向面外側、背面寄りに揺動、後退させて、その起立部７２Ａを含むＬ状フック７１Ａ全体を、垂直状左右支柱１１の対向面外側に沿って同図破線７１ＡＡの様に降下させ、その外側面領域内に収容することにより、仮に、その起立部７２Ａの先端部が尖鋭に形成された場合にも、その安全性を確保可能に構成する。なお、図１２において、Ｄ１、Ｄ２は、カバーネットロール軸１４Ａに巻付けた長方形状カバーネット１６Ｃの巻径、及びカバーネットロール軸１４Ａの軸径、Ｈはカバーネットロール軸１４Ａ右側（図１２）と垂直状左右支柱１１前側面との間隔で、間隔Ｈは当該カバーネットロール１４に巻付けた長方形状カバーネット１６、即ち、巻回長方形状カバーネット１６Ｃの巻厚と略等しいかやや大きく構成される。
【００３７】なお、垂直状左右支柱１１、１１の中空状下部に水平状基板からの先細状起立部１２Ａを挿入して、両者を揺動可能に連結する構造としては、前記の様な構成（図２１も参照）の外、両者間に球面状接続構造を配して、適宜角度に調整、固定する手段を設けること（図示省略）等により、この折畳み可能な塵箱を多少傾斜のある塵箱設置領域の地面Ｇにも無理なく配設し、前記と略同様な作用を期待できる。また、この垂直状左右支柱１１、１１は、図示しないが、垂直状壁面から適宜間隔を存して、水平状に突出する支椀の端部設けた垂直状の端板に、左右の垂直状筒を備える垂直状板を取付け、該左右垂直状筒に前記垂直状左右支柱を挿入して固定することにより、前記実施態様における水平状基板１２を使用することなく、前記カバーネットロール付折畳み可能な塵箱と略同構造のものを、そのまま設置でき、何れの場合にも、前記と略同様の作用をする。
【００３８】（振止フックの変形例）  このカバーネットロール付折り畳み可能な塵箱の、垂直状左右支柱１１、１１の対向面外側に設けられ、長方形状カバーネット１６を巻付けたカバーネットロール軸１４Ａを載置することにより、垂直状左右支柱１１、１１の対向面間に折畳み、収容した長方形状左右側ネット扉２０と長方形状左右前ネット扉２１の振れ、開放を抑制する振止フックは、前記第１実施態様１０のＬ状振止めフック７０の様に構成する外、図１３〜１９の模式側面説明図等に略示する変形例１〜５の様にも構成できる。以下、振止フックの変形例１〜５を、その模式側面説明図の図１３〜１９を参照して説明する。なお、前記第１実施態様と共通する部分には同一名称、同一符号を用い、また、前記第１実施態様と共通する事項についての説明は、省略する。
【００３９】（変形例１）  図１３は振れ止フックの変形例１の模式側面説明図で、Ｌ状振止フック７１の水平状支承部の基部を、垂直状右支柱１１対向面外側へボルト７７止め（固定）したものの、その取付部の模式側面説明図である。
【００４０】この変形例１のＬ状振止フック７１は、その基部を垂直状左右支柱１１、１１の対向面外側にボルト７７止めしたもので、その対向面外（図１３では左）側に伸び、当該Ｌ状フック７１の起立部７２の当接面７３Ｂに、カバーネットロール軸１４Ａの左（図１３）側が当接し、等設面７３Ｂと垂直状左右支柱１１の前側面との間に間隔Ｓがある。なお、図１２において、Ｄ１、Ｄ２は、カバーネットロール軸１４Ａに巻付けた長方形状カバーネット１６Ｃの巻径、及びカバーネットロール軸１４Ａの軸径、Ｈはカバーネットロール軸１４Ａ右側（図１２）と垂直状左右支柱１１前側面との間隔で、間隔Ｈは巻回カバーネットロール１６Ｃの巻厚と略等しいかやや大きく構成する。巻回カバーネットロール１６Ｃの長方形状かバーネット１６が緩やかに巻回される場合のあることを想定すると、この間隔Ｓをやや広めに選択するのがよい。その予の構造及び作用は、前記第１実施態様の振止フック７０Ａと略同様である。
【変形例２】
【００４１】  図１４は振止フックの変形例２の、Ｌ状振止フック７０ＢのＬ状振れ止フック７１Ｂを、水平状取付筒７４Ｂに沿って垂直状左右支柱１１の前側に引出し、その載置面７３Ｂにカバーネットロール軸１４Ａを載置した状態の模式模式側面説明図、図１５はＬ状振止めフック７１Ｂの起立部７２Ｂが、垂直状左右支柱１１、１１前（図１５では左）側に近接する後退状態の模式正面図、図１６はその要部の垂直状右支柱１１の対向（内側）面側からの模式側面説明図である。
【００４２】この変形例２のＬ状振止フック７１Ｂの起立部７２Ｂは、そのカバーネットロール軸１４Ａの当接面７３Ｂｆが、前記変形例１のＬ状振止フック７１Ａの起立部７２と同様に、長方形状カバーネット１６を巻付けたカバーネットロール軸１４Ａの当接面７３Ｂｆと同様に、垂直状左右支柱１１の前面に対して角δ後退する。このように、非使用状態のＬ状振止フック７１Ｂを、水平状筒７４Ｂに沿って後退させて、垂直状左右支柱１１、１１前面に近接可能にしたことにより、長方形状カバーネット１６を巻付けたカバーネットロール軸１４Ａを載置面７３Ｂに載置し、カバーネットロール軸１４Ａ上の巻回カバーネット１６Ｃ周縁と起立部７２Ｂ当接面７３Ｂｆとの当接による、カバーネットロール１４の後退阻止により、垂直状左右支柱１１、１１の対向面間に折畳まれた長方形上左右側ネット扉２０、長方形状左右前ネット扉２１の振れ、開放を、前記実施態様の振止フック７０Ａ及び変形例１の振止フック７０と同様な抑制、阻止作用をする外、非使用状態の振止フック７１Ｂの起立部７２Ｂが、垂直状左右支柱１１の後側に後退して、その前面より前側への実質的突出が無くなることにより、前記実施態様１の振止フック７０Ａとほぼ同様な安全性を期待できる。
【００４３】なお、非使用のＬ状振止フック７１Ｂを、水平状筒７４Ｂに沿って後退させた図１５状態において、当該振止フック７１Ｂの水平状後部（図１５右側）が、垂直状左右支柱１１の背面側に同図１５のように突出しても、当該塵箱１０の背面側と垂直状壁面Ｖとの間には、適度な隙間を確保するのが通常であるから、非使用のＬ状振止フック７１Ｂ右側部背面側への突出は、当該塵箱１０周りに近接する通行人等の支障になる恐れはない。７７ＢはＬ状振止フック７１Ｂの水平状後部に設けた割ピンで、その組み付けを容易にする。
【変形例３】
【００４４】  図１７は、この発明の変形例３の、振止フック８０の模式正面説明図で、この振止フック８０は垂直状左右支柱１１の対向面外側に、その前（図１７では左）側面を超えて上方へ、垂直状左右支柱１１の前面に対して鋭角γ状に突出する、先上り傾斜棒状振止フック８１をボルト８５等の適宜固定手段により固定したもので、その傾斜状載置面８３上に、長方形状カバーネット１６基部を取付けて巻付けたカバーネットロール軸１４Ａ端部（巻回長方形状カバーネット１６Ｃの欠落部分又は同軸１４Ａ端部の小径部１４Ｂ）を載置すると、当該カバーネットロール軸１４Ａがその自重（渦巻状に巻付けた巻回カバーネット１６Ｃの自重を含む）により、同図１７右側下方へ転動、降下し、カバーネットロール軸１４Ａに巻付いた巻回カバーネット１６Ｃ周縁（図１７では右側）部が、垂直状左右支柱１１、１１の対向面間に折畳まれた長方形状左右前ネット扉２１、長方形状左右側ネット扉２０の前側に当接して、長方形状固定ネット枠１７側に押圧し、即ち、その自重により当該長方形状左右前ネット扉２１、長方形状左右側ネット扉２０の振れ、開放が積極的に抑制、阻止され、仮に、垂直状左右支柱１１、１１の背面側に設けた長方形状固定ネット枠１７側から強風が吹付けても、垂直状左右支柱１１、１１の対向面間に折畳まれた長方形状左右前ネット扉２１、長方形状左右側ネット扉２０が不用意に開放されない。なお、傾斜棒状振止めフック８１の垂直状左右支柱１１の前（図１７では左）面に対する立上り角γを、適度に選択して、カバーネットロール１４の不用意な脱落を阻止すべきことはいうまでもない。
【変形例４】
【００４５】  図１８は振止フックの変形例４の、Ｕ状振止めフック９０の模式側面説明図で、垂直状左右支柱１１、１１の対向面外側中央部から、その前（図１８では左）側上方へ向って伸び、先端にＵ状起立部９２のあるＵ状振止めフック９１をボルト９５止めしたＵ状振止フック９１である。図１８において、Ｓ３はＵ状振止フック９１のＵ状フック９２の端部と、垂直状左右支柱１１前面との間隔、Ｓ４はＵ状振止めフック９１のＵ状起立部９２の、当接面９３ｆと垂直状左右支柱１１前側面との最大間隔（カバーネットロール軸１４Ａの当接可能な当接面９３ｆと垂直状左右支柱１１前面との最大間隔）である。Ｕ状起立部９２端部と垂直状左右支柱１１前面との間隔Ｓ３は、カバーネットロール軸１４Ａの直径Ｄ１（図１１、１２参照）と当該カバーネットロール軸１４Ａに巻付けたけた巻回カバーネット１６Ｃの巻厚Ｈとの合計値と等しいか、僅かに大きく、即ち、当該間隔Ｓ３を、長方形状カバーネット１６を巻付けた長方形状カバーネットロール軸１４Ａが通過可能に設定される。Ｕ状振止めフック９１のＵ状起立部９２の係る構成により、垂直状左右支柱１１、１１の対向面間に折畳んだ畳んだ長方形状左右側ネット扉２０、長方形状左右前ネット扉２１に、長方形状固定ネット枠１７側から、時には下方から強風が吹付けても、このカバーネットロール軸１４Ａの左側又は上方への移動が、Ｕ状振止めフック９１のＵ状起立部９２により阻止され、即ち、カバーネットロール１４の載置面９３からその不用意な離脱が阻止され、垂直状左右支柱１１、１１の対向面間に折畳んだ長方形状左右側ネット扉２０、長方形状左右前ネット扉２１の振れ、開放が抑制される。なお、このＵ状振止フック９０によれば、そのＵ状振止フック９１が傾斜状をなす様に構成されることにより、傾斜する載置面９３に載置されたカバーネットロール１４の巻回カバーネット１６Ｃの右側周縁（図１８）が、垂直状左右支柱１１、１１間に折畳まれた長方形状作用側ネット扉２０、長方形状左右前ネット扉２１の振れ、開放がその自重により積極的に抑制され、この傾向自体は前記変形例３の傾斜棒状振止フック８０と略同様である。
【変形例５】
【００４６】  図１９は振止フックの変形例５の、Ｕ状振止フック１００の模式側面説明図で、垂直状左右支柱１１、１１の対向面外（図１９では手前）側に、垂直状右支柱１１の前（図１９では左）側に突出する振止めフック１０１を水平状に配してボルト１０５止めしたものである。図１９において、１０３はＵ状振止フック１０１のカバーネットロール軸１４Ａの、水平状載置面、１０３ｆはＵ状振止めフック１０１の端部からＵ状に起立するＵ状起立部１０２内側の、カバーネットロール軸１４Ａの当接するＵ状当接面で、Ｕ状当接面１０３ｆはカバーネットロール軸１４Ａの左右両端部（巻回カバーネット１６Ｃ欠落部）に当接可能で、それよりやや大径の緩やか曲面として構成される。なお、図１９の符号Ｈ、Ｓ３、Ｓ４は、前記変形例４を略示する図１８の符号Ｈ、Ｓ３、Ｓ４と共通し、この振止フック１０１の水平状載置面１０３ｆに、載置されるカバーネットロール１４は、その自重により長方形状固定ネット枠１７側に降下して積極的な弾圧作用をすることまでは期待できないとしても、Ｕ状起立部１０２のＵ状当接面１０３ｆにより、カバーネットロール１軸４Ａの図１９左側への後退が積極的に阻止され、垂直状左右支柱１１、１１間に折畳まれた長方形状左右側ネット扉２０、長方形状左右前ネット扉２１の振れ、開放を、前記変形例４のＵ状振止フック９０の状起立部９２と略同様に阻止する。
【００４７】変形例４、５の振れ止フック９０、１００は、例えば、高層ビルの各種施設まわり、河川上の各種施設周り、山頂の各種施設まわり等、当該塵箱１０の設置領域における長方形状固定ネット枠１７側からの強風や、当該垂直状左右支柱１１、１１の下部から上方へ強風が吹付ける領域へ設置することにより、当該垂直状左右支柱１１、１１間に折畳まれた長方形状左右側ネット扉２０、長方形状左右前ネット扉２１の振れ、開放抑制の作用、効果を、前記他の変形例の振れ止フックより、一層高い作用効果を期待できる。
【カバーネットロール付折畳み可能な塵箱の第２実施態様】
【００４８】  次に、この発明の第２実施態様のカバーネットロール付折畳み可能な塵箱１１０を、図２０〜２３を参照して説明する。図２０は第２実施態様のカバーネットロール付折畳み可能な塵箱１１０の正面説明図、図２１はその側面説明図、図２２はその長方形状左右前ネット扉１２１、１２１の、左右前枠１２１Ｂ、１２１Ｃの合わせガイド１２１ＢＢ周りの拡大平面図、図２３はその拡大正面図である。なお、前記第１実施態様と共通する部分には、同一名称、同一符号を用いる。図２０〜２３において、１１は垂直状左右支柱、１２は水平状基板、１３は側板、１４はカバーネットロール、１４Ａはカバーネットロール軸、１５はハンドル、２３はヒンジ、３１は固定バンド止具、３５は固定バンド掛具、７０はＬ状振止フック、７１Ａは振止フックで、これらは前記第１実施態様のカバーネットロール付折畳み可能な塵箱１０と略同様である。１１０Ａは第２実施態様のカバーネットロール付折畳み可能な塵箱１１０の、平面視長方形状塵収容領域、１２０は長方形状左右側ネット扉、１２０Ａはスカート、１２１は長方形状左右前ネット扉、１２１Ａはスカート、１２１Ｂは長方形状左前ネット扉１２１の前枠、１２１Ｃは長方形状右前ネット扉１２１の前枠、１２１ＢＢは長方形状左前ネット扉１２１の合わせガイド、１２１Ｄは長方形状左前ネット扉１２１の止金具、１２１Ｅは長方形状右前ネット扉１２１の止金具である。
【００４９】第２実施態様のカバーネットロール付折畳み可能な塵箱１１０は、長方形状左右支柱１１，１１の対向面前側に、垂直状左右側ネット扉１２０、垂直状左右前ネット扉１２１を展開して、平面視台形状塵収容領域１１０Ａを構成するようにした込み収容領域の形状（第１実施態様塵収容領域形状は、平面視長方形状）は別として、前記第１実施態様のカバーネットロール付折畳み可能な塵箱１０と概ね略同様な構造を備え、前者と同様な作用をし、その垂直状左右支柱１１、１１の前側中央部に、Ｌ状振止めフック７０、７０を設け、その載置面７３にカバーネットロール軸１４Ａを載置することにより、垂直状左右支柱１１、１１の対向面間に折畳んだ長方形状左右側ネット扉１２０（２０）、垂直状左右前ネット扉１２１（２１）の振れ、開放を抑制、阻止する点では、前記第１実施態様と同様である。
【００５０】この第２実施態様の塵箱１１０にあっては、長方形状左右前ネット扉１２１、１２１の前枠１２１Ｂ、１２１Ｃの係合状態を確保手段として、長方形状左前ネット扉１２１の前枠１２１Ｂのに止金具１２１Ｄと、長方形状右前ネット扉１２１の前枠１２１Ｃの止金具１２１Ｅとの係脱により、同長方形状左右前ネット１２１、１２１の同一平面上の係合状態を確保し、又はそのような同一平面上の係合状態開放を操作を可能にし、また、その際、長方形状左前ネット扉１２１の前枠１２１Ｂに設けた前枠合わせガイド１２１ＢＢ、１２１ＢＢ間に、長方形状右前ネット扉１２１の前枠１２１Ｃを図２２の様に挿入することにより、当該長方形状左前ネット扉１２１の前枠１２１Ｂと、長方形状右前ネット扉１２１の前枠１２１Ｃ、ひいては長方形状左右前ネット扉１２１、１２１を容易、かつ確実に同一平面上に維持し、塵収容領域１１０Ａを確保する。また、図示しないが、その垂直状左右支柱１１、１１の対向面を、その背面側の長方形状固定ネット枠４７に対して鈍角状をなす様に構成すれば、長方形状左右側ネット扉１２０、１２０が同角どまで、即ち、台形状塵収容領域４０Ａ左右側壁側を、その背面に対して直角を越えて当該鈍角に達す角度だけ、当該台形状麈収容領域４０Ａの前側を大きく開放して、当該塵収容領域１１０Ａに投入された塵を、一層容易に収集できる。
【００５１】（垂直状左右支柱の支承構造）  道路脇、公園、広場等の適所に適宜間隔を存して配設する左右一対の垂直状左右支柱１１の支承構造としては、前記第１、第２実施態様のように、水平状基板１２に垂直状左右支柱１１を起立させる外、図示しないが、塵箱を載置する地面Ｇから垂直状に起立する、例えば、断面が長方形筒状基筒に、断面が長方形筒状（両者が同形状）をなす垂直状左右支柱を挿脱可能に設け、適宜高さにボルト止めすることもでき、このように構成すれば、目的とする塵箱設置領域の地面Ｇに多少の傾斜、凹凸等があっても、垂直状左右支柱を垂直状基筒に挿脱する構成を選択し、所要の機能を備え、必要に応じて適所に移動可能なカバーネットロール付き折畳み可能な塵箱を提供する。また、道路脇、公園、広場等の所要広さの塵収容領域を確保可能な適所に、適宜間隔を存して配設した一対の水平状左右支腕端部の垂直状基筒に、前記と同様な垂直状左右支柱を挿脱及び係止可能に設ければ、当該道路脇、公園、広場等の路面の形状（例えば、傾斜、凹凸の有無等）に殆ど左右されることなく、しかも、このカバーネットロール付き折畳み可能な塵箱の実体構造を変えることなく、その支承部の一部構造を変えるだけで、したがって、コスト高を招く恐れなく、前示のような各種振止フックを備えるカバーネットロール付き折畳み可能な塵箱を提供できる。
【効果】
【００５２】  この発明は、前記のような構成を有し、作用をするから、従前の折畳み可能な麈箱と同様な効果を奏する外、次のような特有の効果を奏する。
【００５３】（１）  請求項１の発明によれば、道路脇、公園、広場等の適所に、適宜間隔を存して配設した適宜高さの一対の垂直状左右支柱の対向面に、当該垂直状左右支柱と略等高で、当該垂直状左右支柱対向面間隔の略半分長の長方形状左右側ネット扉と、当該長方形状左右側ネット扉と略同形同大の長方形状左右前ネット扉を順次屈折可能にヒンジ付けし、その組み付けにより、平面視略長方形状塵収容領域を確保し、該平面視略長方形状塵収容領域の頂部開口に、カバーネットロール軸の回動により、長方形状カバーネットを掛けて被覆し、必要に応じて当該カバーネットによる塵収容領域の一部又は全部を開放して、塵収容領域内に塵を投入した後、開放した前記塵収容領域の頂部開口を長方形状カバーネットで被覆し、次の塵投入に備える。
【００５４】（２）  塵収集日等の適時、長方形状塵収容領域の頂部開口を開放すると共に、長方形状左右前ネット扉を、長方形状左右側ネット扉方向ないし外側に廻して、長方形状塵収容領域の前側を開放し、塵収集車等をカバーネットロール付き折畳み塵箱の長方形状左右側ネット扉近くまで近接させ、当該塵収集車へ塵を容易に、短時間で収集可能にする。当該折り畳み塵箱の頂部開口の一部又は全部が長方形状カバーネットにより被覆されれば、当該長方形状カバーネットをカバーネットロール軸に巻付けて開放し、長方形状左右側ネット扉、長方形状左右前ネット扉を、垂直状左右支柱の対向面間に折り畳み、当該カバーネットロール付折り畳み可能な塵箱周りの交通妨げ領域を、実質上当該垂直状左右支柱の対向面間内とする。前記と略逆の操作により、当該カバーネットロール付折り畳み可能な塵箱の、平面視略長方形状塵収容領域を組付け、次回の塵収集に備える。
【００５５】（３）  前記垂直状左右支柱の対向面に、一側縁をそれぞれ折り畳み可能にヒンジ付けした、前記長方形状左右側ネット扉の展開方向とは逆の背面側に、当該垂直状左右支柱と略等高の長方形状固定ネット枠を設けたことにより、仮に、このカバーネットロール付折り畳み可能な塵箱の設置領域の背面側に、例えば、垂直状の側壁等が欠落する場所でも、前記と略同様なカバーネットロール付折り畳み可能な塵箱機能を奏する。また、前記垂直状左右支柱の頂部の対向面外側に、当該垂直状左右支柱の頂部を超え、その外側上方へ伸びる左右側板に、カバーネットロール軸を回転可能に横架したことにより、当該左右側板の対向面の間隔が、当該左右支柱の対向面の間隔より、当該垂直状左右支柱の対向面方向の厚さ程度広くなり、しかも、同領域には当該垂直状作用支柱の頂部がないから、当該左右側板に回転可能に横架したカバーネットロール軸に、当該左右支柱の対向面の間隔よりやや広幅で、肉厚等のやや重い長方形状カバーネットの基部を取り付け、巻付け巻き戻しを無理なくする。
【００５６】（４）  垂直状左右支柱の対向面外側中央部に、その前側へ突出する様に設けた振止フックにカバーネットロール軸を載置し、該カバーネットロール軸に巻付けたカバーネットを介して、垂直状左右支柱の対向面間に折畳んだ長方形状左右側ネット扉と長方形状左右前ネット扉を、長方形状固定ネット枠側へ押圧可能にしたことにより、仮に、前記長方形状固定ネット枠の背面側から強風等が吹き付けても、垂直状左右支柱の対向面間に折畳まれた長方形状左右側扉、長方形状左右前ネット扉の振れ、開放が阻止される。
【００５７】  （５）  請求項２の発明によれば、垂直状左右支柱の対向面外側中央部からその前側へ突設した、振止フックのカバーネットロール軸載置面を、当該載置面へ載置されるカバーネットロール軸を、その自重により垂直状左右支柱前側へ近接するように降下させ、カバーネットロール軸に巻付けたカバーネットを介して垂直状左右支柱間に折畳んだ長方形状左右側ネット扉、長方形状左右前ネット扉を、長方形状固定ネット枠へ押圧可能にしたことにより、仮に、長方形状固定ネット枠の背面側から強風等が吹き付けて、垂直状左右支柱の対向面間に折畳まれた長方形状左右側扉、略同形左右前扉の振れ、開放が阻止される。
【００５８】  （５）  請求項３の発明によれば、垂直状左右支柱の対向面外側中央部からその前側へ突出する、振止めフックのカバーネットロール軸載置面を、その基部から先端に上昇させると共に、その先端部と垂直状左右支柱の対向面前側間に、長方形状カバーネットを巻付けたカバーネットロール軸の通過可能な隙間を確保し、かつ、該振止めフックの端部と前記垂直状左右支柱前側面との間隔を、当該振止めフックの前記カバーネットロール軸載置面と、当該垂直状左右支柱の対向面前側からの最大離間間隔より狭くしたことにより、仮に、当該カバーネットロール軸がその載置面から浮上しても、前記長方形状カバーネットを巻付けたカバーネットロール軸の通過可能な隙間を介して、外れる恐れが無く、動作の確実性が一層向上する。
【００５９】  （６）  請求項４の発明によれば、振止フックを、そのカバーネットロール軸載置面の上下を反転して、垂直状左右支柱の対向面外側に取付け可能にしたから、仮に、当該振止フックの先端部が尖鋭状に構成されても、振止フックのカバーネットロール軸載置面の上下を反転して下向きにすることにより、当該塵箱の非使用状態において、子供等が不用意に振止フックの先端部に触れて、けがなどの発生を招く恐れが殆どない。
【００６０】（６）  請求項５の発明によれば、端部に垂直状起立部を備える振止フックの基部を、前記垂直状左右支柱の対向面外側の背面寄りに軸着するとともに、該振止フックのカバーネットロール軸載置面を、前記垂直状左右支柱の対向面外側中央部に確保する振止フック受を、前記垂直状左右支柱の前側から、前記対向面外側へ突出する様に設けたから、非使用の振止フックをその基部周りに回転させて、垂直状左右支柱の対向面外側領域に降下させることにより、子供等が当該振れ止フックに不用意に振れる恐れが著しく減少する。
【０００１】（６）  請求項６の発明によれば、Ｌ状振止フック起立部の、カバーネットロール軸との当接面を、その基部から端部に向って僅かに後退させる様に構成したことにより、この塵箱の長期間使用等により、カバーネットロール軸に巻付けたカバーネットの減耗等により、当該カバーネットロール軸に巻付けたカバーネット巻径が多少小さくなっても、当該カバーネットロールの降下により、その巻回カバーネット周りが長方形状左右前ネット扉前面の良好な当接状態を確保できる。
【図面の簡単な説明】
【００６２】
【図１】  この発明に係るカバーネットロール付折畳み可能な塵箱の第１実施態様の、長方形状左右側ネット扉と長方形状左右前ネット扉を展開して、平面視長方形状塵収容領域を組み付け、その頂部開口を長方形状カバーネットでカバーした状態の模式斜視説明図である。
【図２】  長方形状カバーネットをカバーネットロール軸に巻き付けて、直方体状塵収容領域の頂部を開放し、塵の投入可能状態の模式斜視説明図である。
【図３】  カバーネットロール付折畳み可能な塵箱の長方形状左右前ネット扉を、長方形状左右側ネット扉の端部周り外側へ回動して重ね、塵収容領域内に収容した塵の排出可能状態の模式斜視説明図である。
【図４】  長方形状左右側ネット扉及び長方形状左右前ネット扉の、垂直状左右支柱間への折畳んだ状態の模式斜視説明図である。
【図５】  垂直状左右支柱間に折畳んだ長方形状左右側ネット扉及び長方形状左右前ネット扉の前側を、長方形状カバーネットの垂下部で被覆した状態の模式斜視説明図である。
【図６】  垂直状左支柱に対する長方形状左側ネット扉と、長方形状左側ネット扉に対する長方形状左前ネット扉とのヒンジ付部の拡大模式平面説明図である。
【図７】  カバーネットロール軸の模式正面図で、カバーネットロール軸と、垂直状左右支柱、側板、ハンドル等の位置関係を、同時に破線で略示した。
【図８】  長方形状カバーネットの模式平面説明図である。
【図９】  垂直状左右支柱間に折畳んだ長方形状左右側ネット扉及び長方形状左右前ネット扉の前側に長方形状カバーネットを垂下させ、固定用ゴムバンドで挟持、固定した状態の模式斜視説明図である。
【図１０】  垂直状左右支柱の対向面間に折畳んだ長方形状左右側ネット扉及び長方形状左右前ネット扉の前側に、垂れネット固定バンドを掛けるとともに、該垂れネット固定バンドの上位に、垂直状左右支柱頂部の側板から外したカバーネットロール軸を、垂直状左右支柱の対向面外側に設けたＬ状振止フックに載置して、前記長方形状左右側、前ネット扉の振れ、開放を抑制した状態の、カバーネットロール付折り畳み可能な塵箱の正面説明図である。
【図１１】  その垂直上右支柱の対向面外側に設けたＬ状振止フックに、カバーネットロール軸を掛けた状態の、拡大右側面説明図である。
【図１２】  その垂直状左右支柱の対向面外側に、当該垂直状左右支柱の前側に突出するＬ状振止フックを設けたものの、垂直状右支柱の対向（内側）面側からの側面説明図（カバーネットロールの載置無し）である。
【図１３】  振止フックの変形例１で、垂直状左右支柱の対向面外側に、端部が当該垂直状左右支柱の前側に突出するＬ状振止フックを固定した、垂直状右支柱の対向面外側からの、振止フック取付部の模式側面説明図である。
【図１４】  振止フックの変形例２で、垂直状左右支柱の対向面外側に、起立部が当該垂直状左右支柱の前側に出没可能なＬ状振止フックを設けたものの、模式側面説明図である。
【図１５】  そのＬ状振止フックの起立部を、後退させた状態の模式側面説明図である。
【図１６】  その垂直状右支柱の内側面側からの、振れ止フック周りの側面説明図でる。
【図１７】  振止フックの変形例３で、垂直状左右支柱の対向面外側に、当該垂直状左右支柱の前側に上向き傾斜状に突出する傾斜棒状振止フックを設けたものの、垂直状右支柱の右側面説明図である。
【図１８】  振止フックの変形例４で、垂直状左右支柱の対向面外側に、当該垂直状左右支柱の前側に、支持部が上向き傾斜状に突出するＵ状振止フックを設けたものの、垂直状右支柱の右側面説明図である。
【図１９】  振止フックの変形例５で、垂直状左右支柱の対向面外側に、当該垂直状左右支柱の前側に、支持部が水平状に突出するＵ状振止フックを設けたものの、垂直状右支柱右側説明図である。
【図２０】  この発明に係るカバーネットロール付折畳み可能な塵箱の第２実施態様の、長方形状左右側ネット扉と長方形状左右前ネット扉を展開して、平面視長方形状の塵収容領域を組み付けるとともに、その長方形状カバーネットを巻回したカバーネットロール軸２巻回して、その頂部開口を開放した状態の正面図である。
【図２１】  その側面図である。
【図２２】  その長方形状左右前扉を同一平面状に組付けた状態における、合わせガイド部の拡大平面説明図である。
【図２３】  その長方形状左右前扉を同一平面状に組付けた状態における、合わせガイド部の拡大正面説明図である。
【符号の説明】
【００６３】１０……カバーネットロール付折り畳み可能な塵箱（第１実施態様）
１０Ａ……塵収容領域
１１……垂直状左右支柱
１１Ａ……弧状溝
１２……水平状基板
１２Ａ……先細起立部
１２Ｂ……取付軸
１２Ｃ……固定ボルト
１３……側板
１４……カバーネットロール
１４Ａ……カバーネットロール軸
１４Ｂ……小径部（先細部）
１４Ｄ……カラー
１５……ハンドル（駆動手段）
１６……長方形状カバーネット
１６Ａ……長方形状カバーネット端縁部
１６Ｂ……長方形状カバーネット側縁部
１６Ｃ……巻回長方形状カバーネット
１７……長方形状固定ネット枠
１８……前垂れ部（長方形状カバーネット）
１９……側垂れ部（長方形状カバーネット）
２０……長方形状左右側ネット扉
２０Ａ……可撓性スカート（長方形状左右側ネット扉）
２１……長方形状左右前ネット扉
２１Ａ……可撓性スカート（長方形状左右前ネット扉）
２２、２３……ヒンジ
２４……コ状係止具
２６……マグネット
２７……係止フック
２８……係止ピン
３１……固定バンド留め具
３２……垂れネット固定バンド
３５……固定バンド掛け具
４０……カバーネットロール付折畳み可能な塵箱（第２実施態様）
４１……垂直状左右支柱（断面台形状）
４１Ａ……傾斜内側面（垂直状左右支柱）
４２……水平状基板
４２Ｂ……固定ボルト（水平状基板）
４７……固定ネット枠
５０……長方形状側ネット扉
５１……長方形状前ネット扉
５２、５３……ヒンジ
７０……振止フック（固定）
７０Ａ……振止フック（揺動）
７０Ｂ……振止フック（摺動）
７１……Ｌ状振止フック（固定）
７１Ａ……Ｌ状振止フック（揺動）
７１Ｂ……Ｌ状振止フック（摺動）
７２……立上部
７３、７３Ｂ……載置面（水平状）
７３ｆ……立上当接面（垂直状）
７３Ｂｆ……立上当接面（後退）
７４Ｂ……Ｌ状振止フックの水平状取付筒
７５……振止フック受
７６……穴（筒状挿入部７５の）
７７……取付ボルト
７７Ａ……取付軸
７７Ｂ……割ピン
８０……傾斜棒状振止フック
８１……傾斜棒状振止フック
８３……傾斜載置面
８５……固定ボルト
９０……Ｕ状振止フック
９１……傾斜状部
９２……Ｕ状起立部
９３……傾斜状載置面
９３ｆ……Ｕ当接面
９５……固定ボルト
１００……Ｕ状振止フック
１０１……水平状部
１０２……Ｕ状起立部
１０３……水平状載置面
１０３ｆ……Ｕ状当接面
１０５……固定ボルト
１１０……カバーネットロール付折り畳み可能な塵箱（第２実施態様）
１１０Ａ……台形状塵収容領域
１２０……長方形状左右側ネット扉
１２０Ａ……スカート
１２０Ｂ……長方形状左右側ネット扉の（傾斜）頂枠
１２１……長方形状左右前ネット扉
１２１Ａ……スカート
１２１Ｂ……長方形状左前ネット扉前枠
１２１ＢＢ……長方形状左前ネット扉の合わせガイド
１２１Ｃ……長方形状右前ネット扉前枠
１２１Ｄ……長方形状左前ネット扉止め金具
１２１Ｅ……長方形状右前ネット扉止め金具
Ｄ１……カバーネットロール軸径
Ｄ２……長方形状カバーネットの巻径
Ｈ……カバーネットロール軸と垂直状左右支柱前面の最小間隔
ｈ……巻回長方形状カバーネット１６Ｃの巻厚）
Ｇ……地面（載置面）
Ｖ……垂直状壁面
Ｓ……振止フック起立面と垂直状左右支柱前面間隔
Ｓ１……振止フック立上面基部と垂直状左右支柱前面間隔
Ｓ２……振止フック端部と垂直状左右支柱前面間隔
Ｓ３……Ｕ状振止フック立上面端部と垂直状左右支柱前面間隔
Ｓ４……Ｕ状振止フック立上面と垂直状左右支柱前面の最大間隔
β……長方形状側ネットの、固定ネット枠に対する組付け角度
δ……起立当接面７３Ｂｆの後退角
【図１】
2006188307.tif 000003
【図２】
2006188307.tif 000004
【図３】
2006188307.tif 000005
【図４】
2006188307.tif 000006
【図５】
2006188307.tif 000007
【図６】
2006188307.tif 000008
【図７】
2006188307.tif 000009
【図８】
2006188307.tif 000010
【図９】
2006188307.tif 000011
【図１０】
2006188307.tif 000012
【図１１】
2006188307.tif 000013
【図１２】
2006188307.tif 000014
【図１３】
2006188307.tif 000015
【図１４】
2006188307.tif 000016
【図１５】
2006188307.tif 000017
【図１６】
2006188307.tif 000018
【図１７】
2006188307.tif 000019
【図１８】
2006188307.tif 000020
【図１９】
2006188307.tif 000021
【図２０】
2006188307.tif 000022
【図２１】
2006188307.tif 000023
【図２２】
2006188307.tif 000024
【図２３】
2006188307.tif 000025